(57)【要約】【課題】所定のアクセス・ネットワークの負荷が増加するという問題を解決することが可能なメッセージング装置を提供する。【解決手段】受信部３０２は、通信端末１および２が無線通信を行う無線アクセス・ネットワークを示す通信ネットワーク情報を受信する。制御部３０５は、メッセージのサイズが所定値以上か否かを判断し、その判断結果と通信ネットワーク情報とに基づいて、メッセージの送受信を実行または保留させる。【選択図】図３
2012010078.tif 000002
【特許請求の範囲】
【請求項１】
複数の無線アクセス・ネットワークのいずれかと無線通信を行う通信端末によるメッセージの送受信を管理するメッセージングシステムであって、
前記通信端末が無線通信を行う無線アクセス・ネットワークを示す通信ネットワーク情報を受信する受信部と、
前記メッセージのサイズが所定値以上か否かを判断し、その判断結果と前記通信ネットワーク情報とに基づいて、前記メッセージの送受信を実行または保留させる制御部と、を有するメッセージングシステム。
【請求項２】
請求項１に記載のメッセージングシステムにおいて、
前記複数の無線アクセス・ネットワークは、公衆無線アクセス・ネットワークと、当該公衆無線アクセス・ネットワークとは別の専用無線アクセス・ネットワークとを含み、
前記制御部は、前記サイズが前記所定値未満の場合と、前記サイズが前記所定値以上であり、かつ、前記通信ネットワーク情報が前記専用無線アクセス・ネットワークを示す場合には、前記メッセージの送受信を実行させ、前記サイズが前記所定値以上であり、かつ、前記通信ネットワーク情報が前記公衆無線アクセス・ネットワークを示す場合には、前記メッセージの送受信を保留させる、メッセージングシステム。
【請求項３】
請求項２に記載のメッセージングシステムにおいて、
前記制御部は、前記メッセージの送受信を保留した後で、前記受信部が前記専用無線アクセス・ネットワークを示す通信ネットワーク情報を受信すると、前記メッセージの送受信を実行させる、メッセージングシステム。
【請求項４】
請求項２または３に記載のメッセージングシステムにおいて、
前記受信部は、前記専用無線アクセス・ネットワークに含まれるフェムトセル・アクセス・ポイントから、前記通信ネットワーク情報を受信する、メッセージングシステム。
【請求項５】
請求項１ないし４のいずれか１項に記載のメッセージングシステムにおいて、
前記制御部は、前記メッセージの送受信を実行させる場合、当該メッセージが複数あると、サイズの小さいメッセージから順に各メッセージの送受信を実行させる、メッセージングシステム。
【請求項６】
請求項１ないし５のいずれか１項に記載のメッセージングシステムにおいて、
前記受信部は、前記通信端末宛のメッセージを受信し、
前記制御部は、前記受信部が受信したメッセージのサイズが前記所定値以上か否かを判断し、当該メッセージの送受信を保留させると判断した場合、当該メッセージの要約を前記通信端末に送信する、メッセージングシステム。
【請求項７】
複数の無線アクセス・ネットワークのいずれかと無線通信を行う通信端末によるメッセージの送受信を管理するメッセージングシステムによる送受信管理方法であって、
前記通信端末が無線通信を行う無線アクセス・ネットワークを示す通信ネットワーク情報を受信し、
前記メッセージのサイズが所定値以上か否かを判断し、その判断結果と前記通信ネットワーク情報とに基づいて、前記メッセージの送受信を実行または保留させる、送受信管理方法。
【発明の詳細な説明】
【技術分野】
【０００１】
本発明は、通信端末によるメッセージの送受信を管理するメッセージング装置および送受信管理方法に関する。
【背景技術】
【０００２】
携帯電話端末やＰＤＡ（Personal Digital Assistant）などの無線通信端末では、様々なタイプのメッセージを送受信することが可能である。メッセージのタイプとしては、例えば、ＳＭＳ（Short Message Service）メッセージ、ＭＭＳ（Multimedia Messaging Service）メッセージ、電子メール（E-mail）およびボイスメール（Voice Mail）などが挙げられる。
【０００３】
メッセージの送受信では、ネットワークの状況によっては、送受信時間が長くなったり、送受信に失敗したりするなどの通信障害が発生することがある。通常、通信端末は複数のメッセージを同時に送受信することができないので、あるメッセージの送受信に通信障害が発生すると、他のメッセージの送受信にも影響を与える。特に、サイズの大きなメッセージの送受信で通信障害が発生すると、送受信時間や送受信に失敗したと判断されるまでに係る時間が非常に長くなるので、他のサイズの小さいメッセージの送受信に与える影響が大きい。
【０００４】
これに対して、特許文献１には、受信電界強度レベルに応じてメッセージが送信可能か否かを判断する無線通信端末が記載されている。この無線通信端末は、受信電界強度レベルが所定値より高いときにメッセージを送信することで、通信障害の発生を軽減させている。
【先行技術文献】
【特許文献】
【０００５】
【特許文献１】特開２００４−３２０１６６号公報
【発明の概要】
【発明が解決しようとする課題】
【０００６】
近年、通信端末の増加やメッセージのサイズの大規模化などに伴い、公衆無線アクセス・ネットワークなどのように多くのユーザが共用するアクセス・ネットワークへの負荷が増加している。
【０００７】
特許文献１に記載の無線通信端末では、受信電界強度レベルが所定値より高いと、メッセージ通信装置が通信を行うアクセス・ネットワークの種類に関わらず、メッセージが送信される。このため、公衆無線アクセス・ネットワークなどのような所定のアクセス・ネットワークへの負荷が増加することがある。
【０００８】
本発明の目的は、所定のアクセス・ネットワークの負荷が増加するという問題を解決することが可能なメッセージングシステムおよびメッセージ送信制御方法を提供することである。
【課題を解決するための手段】
【０００９】
本発明によるメッセージングシステムは、複数の無線アクセス・ネットワークのいずれかと無線通信を行う通信端末によるメッセージの送受信を管理するメッセージングシステムであって、前記通信端末が無線通信を行う無線アクセス・ネットワークを示す通信ネットワーク情報を受信する受信部と、前記メッセージのサイズが所定値以上か否かを判断し、その判断結果と前記通信ネットワーク情報とに基づいて、前記メッセージの送受信を実行または保留させる制御部と、を有する。
【００１０】
また、本発明による送受信管理方法は、複数の無線アクセス・ネットワークのいずれかと無線通信を行う通信端末によるメッセージの送受信を管理するメッセージングシステムによる送受信管理方法であって、前記通信端末が無線通信を行う無線アクセス・ネットワークを示す通信ネットワーク情報を受信し、前記メッセージのサイズが所定値以上か否かを判断し、その判断結果と前記通信ネットワーク情報とに基づいて、前記メッセージの送受信を実行または保留させる。
【発明の効果】
【００１１】
本発明によれば、所定のアクセス・ネットワークへの負荷を軽減させることが可能になる。
【図面の簡単な説明】
【００１２】
【図１】本発明の第１の実施形態の無線通信システムを示すブロック図である。
【図２】通信端末の構成の一例を示すブロック図である。
【図３】メッセージングシステムの構成の一例を示すブロック図である。
【図４】無線通信システムの動作の一例を説明するためのシーケンス図である。
【図５】無線通信システムの動作の他の例を説明するためのシーケンス図である。
【図６】無線通信システムの動作の他の例を説明するためのシーケンス図である。
【図７】無線通信システムの動作の他の例を説明するためのシーケンス図である。
【図８】無線通信システムの動作の他の例を説明するためのシーケンス図である。
【図９】無線通信システムの動作の他の例を説明するためのシーケンス図である。
【図１０】メッセージの要約情報の一例を示す図である。
【図１１】無線通信システムの動作の他の例を説明するためのシーケンス図である。
【発明を実施するための形態】
【００１３】
以下、本発明の実施形態について図面を参照して説明する。なお、以下の説明では、同じ機能を有するものには同じ符号を付け、その説明を省略する場合がある。
【００１４】
図１は、本発明の第１の実施形態の無線通信システムを示すブロック図である。図１において、無線通信システムは、通信端末１および２と、メッセージングシステム３とを有する。
【００１５】
通信端末１および２は、複数の無線アクセス・ネットワークのいずれかと無線通信を行う無線通信端末であり、その無線アクセス・ネットワークとコア・ネットワーク１０とを介してメッセージングシステム３と接続可能である。なお、以下では、通信端末１および２は携帯電話端末であるものとする。また、通信端末１はユーザＡにて使用され、通信端末２はユーザＢにて使用されるものとする。
【００１６】
通信端末１および２は、本実施形態では、無線アクセス・ネットワークとして、公衆無線アクセス・ネットワークと、公衆無線アクセス・ネットワークとは別の専用無線アクセス・ネットワークとのいずれかと無線通信を行うものとする。
【００１７】
公衆無線アクセス・ネットワークとしては、第２世代アクセス・ネットワーク（２ＧＮＷ：2nd Generation Access Network）や第３世代アクセス・ネットワーク（３ＧＮＷ：3rd Generation Access Network）などが挙げられる。以下では、公衆無線アクセス・ネットワークは３ＧＮＷであるとする。なお、３ＧＮＷには、不図示の、ＨＬＲ（Home Location Register）、ＭＳＣ（Mobile Switching Center）およびＲＮＣ（Radio Network Controller）などの通信制御装置が含まれている。
【００１８】
専用無線アクセス・ネットワークは、本実施形態では、フェムトセル・アクセス・ネットワークであるとする。フェムトセル・アクセス・ネットワークは、フェムトセルと呼ばれる半径数１０ｍ程度の通信エリアを有するフェムトセル・アクセス・ポイントを含む無線アクセス・ネットワークである。フェムトセル・アクセス・ポイントは、ＩＰ網と接続されており、そのＩＰ網を介して無線通信サービスを提供することができる。このようなフェムトセル・アクセス・ネットワークは、通常、予め登録された少人数のユーザにて使用されるため、各通信端末に割り当てられる帯域が広く、サイズの大きな情報でも比較的短時間で送受信できるという特徴を有する。
【００１９】
以下、通信端末１が無線通信を行う公衆無線アクセス・ネットワークを公衆無線アクセス・ネットワーク１１Ａとし、通信端末１が無線通信を行うフェムトセル・アクセス・ネットワークをフェムトセル・アクセス・ネットワーク１２Ａとする。また、通信端末２が無線通信を行う公衆無線アクセス・ネットワークを公衆無線アクセス・ネットワーク１１Ｂとし、通信端末１が無線通信を行うフェムトセル・アクセス・ネットワークをフェムトセル・アクセス・ネットワーク１２Ｂとする。そして、フェムトセル・アクセス・ネットワーク１２Ａは、フェムトセル・アクセス・ポイント１３Ａを含み、フェムトセル・アクセス・ネットワーク１２Ｂは、フェムトセル・アクセス・ポイント１３Ｂを含むものとする。
【００２０】
ここで、フェムトセル・アクセス・ポイント１３Ａおよび１３Ｂは、自フェムトセル圏内に存在する通信端末をメッセージングシステム３に通知する機能を有する。
【００２１】
より具体的には、フェムトセル・アクセス・ポイント１３Ａおよび１３Ｂは、自フェムトセル圏内に通信端末が入ったときに、その通信端末を識別する端末ＩＤと、自フェムトセル圏内に通信端末が入ったことを示す通信ネットワーク情報とをメッセージングシステム３に通知する。また、フェムトセル・アクセス・ポイント１３Ａおよび１３Ｂは、自フェムトセル圏内から通信端末が出たときに、その通信端末を識別する端末ＩＤと、自フェムトセル圏内から通信端末が出たことを示す通信ネットワーク情報とをメッセージングシステム３に通知する。以下では、通信ネットワーク情報において、自フェムトセル圏内に通信端末が入ったことを「入」と表記し、自フェムトセル圏内から通信端末が出たことを「出」と表記する。
【００２２】
通信ネットワーク情報が「入」を示す場合、通信端末はフェムトセル・アクセス・ネットワークと無線通信を行うことになり、通信ネットワーク情報が「出」を示す場合、通信端末は公衆無線アクセス・ネットワークと無線通信を行うことになる。このため、通信ネットワーク情報は、通信端末が無線通信を行う無線アクセス・ネットワークを示すことになる。
【００２３】
図２は、通信端末１の構成の一例を示す図である。図２において、通信端末１は、送信部１０１と、受信部１０２と、表示部１０３と、操作部１０４と、格納部１０５と、制御部１０６とを有する。
【００２４】
送信部１０１は、他端末宛のメッセージ、そのメッセージに関する情報である送信予定メッセージ情報およびメッセージの送信許可を要求するメッセージ送信許可要求などをメッセージングシステム３に送信する。送信予定メッセージ情報は、少なくともメッセージのサイズを示し、さらには、メッセージのタイプなどを示してもよい。
【００２５】
受信部１０２は、自端末宛のメッセージ、そのメッセージに関する通知情報、および、メッセージ送信許可要求に対する応答情報などをメッセージングシステム３から受信する。
【００２６】
表示部１０３は、自端末宛のメッセージ、他端末宛のメッセージおよび通知情報などの種々の情報を表示する。
【００２７】
操作部１０４には、ユーザにて操作され、種々の情報が入力される。例えば、操作部１０４には、送信ボタン（図示せず）が具備され、その送信ボタンが押下されることで、メッセージを送信する旨が入力される。
【００２８】
格納部１０５は、自端末宛のメッセージおよび他端末宛のメッセージを格納する。
【００２９】
制御部１０６は、通信端末１の各部を制御する。
【００３０】
例えば、制御部１０６は、操作部１０４への操作内容に応じて他端末宛のメッセージを作成し、操作部１０４に送信要求が入力されると、そのメッセージについての送信予定メッセージ情報およびメッセージ送信許可要求を送信部１０１から送信する。その後、制御部１０６は、受信部１０２が送信実行（ＯＫ）を示す応答情報を受信した場合、その作成したメッセージを送信部１０１から送信し、受信部１０２が送信保留（ＮＧ）を示す応答情報を受信した場合、その作成したメッセージを格納部１０５に格納する。また、受信部１０２がメッセージの送信を示す通知情報であるメッセージ送信要求を受信すると、制御部１０６は、格納部１０５内の他端末宛のメッセージを送信部１０１から送信する。
【００３１】
通信端末２は、図１に示した通信端末１と同じ構成を有するため、その構成の説明は省略する。
【００３２】
図３は、メッセージングシステム３の構成の一例を示す図である。図３において、メッセージングシステム３は、格納部３０１と、受信部３０２と、送信部３０３と、ユーザＤＢ（Database）３０４と、制御部３０５とを有する。
【００３３】
格納部３０１は、通信端末１および２宛のメッセージを一時保存する。本実施形態では、メッセージは、ＳＭＳメッセージ、ＭＭＳメッセージ、電子メールおよびボイスメールであるとし、格納部３０１は、各メッセージを一時保存するＳＭＳメール・ボックス３０１Ａ、ＭＭＳメール・ボックス３０１Ｂ、電子メール・ボックス３０１Ｃおよびボイスメール・ボックス３０１Ｄを有する。
【００３４】
受信部３０２は、メッセージ、送信予定メッセージ情報およびメッセージ送信許可要求を通信端末１および２から受信する。また、受信部３０２は、端末ＩＤおよび通信ネットワーク情報などをフェムトセル・アクセス・ポイント１３Ａおよび１３Ｂから受信する。
【００３５】
送信部３０３は、メッセージ、通知情報、および、メッセージ送信許可要求に対する応答情報などを通信端末１および２に送信する。
【００３６】
ユーザＤＢ３０４は、受信部３０２が受信した端末ＩＤおよび通信ネットワーク情報を対応付けて格納する。
【００３７】
制御部３０５は、通信端末１および２が送受信するメッセージのサイズが所定値以上か否かを判断し、その判断結果をサイズ情報として生成する。本メッセージが通信端末から送信される送信メッセージの場合、制御部３０５は、メッセージのサイズとして、送信予定メッセージ情報が示すサイズを用いる。また、本メッセージが通信端末にて受信（ダウンロード）される受信メッセージの場合、制御部３０５は、メッセージのサイズとして、格納部３０１に一時保存されたメッセージのサイズを用いる。また、所定値は、例えば、１Ｍｂｙｔｅｓ等であり、ユーザやメッセージングシステムの管理者にて設定可能であってもよい。
【００３８】
制御部３０５は、その生成したサイズ情報と、ユーザＤＢ３０４に格納された通信ネットワーク情報とに基づいて、通信端末にメッセージの送受信を実行または保留させる。
【００３９】
例えば、メッセージのサイズが所定値未満の場合、制御部３０５は、メッセージの送受信を実行させる。一方、メセージのサイズが所定値以上の場合、制御部３０５は、通信ネットワーク情報が「入」を示すと、メッセージの送受信を実行させ、通信ネットワーク情報が「出」を示すと、メッセージの送受信を保留させる。
【００４０】
次に本実施形態の無線通信システムの動作について説明する。
【００４１】
本無線通信システムの動作は、３つの動作から構成される。１つ目の動作は「事前登録動作」であり、２つ目の動作は「通信ネットワーク情報の登録動作」であり、３つ目の動作は「メッセージの送受信動作」である。
【００４２】
先ず、「事前登録動作」について説明する。なお、「事前登録動作」は、メッセージングシステムが提供するメッセージ管理サービスにユーザが加入するときに行われる。
【００４３】
「事前登録動作」では、ユーザは、先ず、ユーザ情報を登録する旨の登録要求を操作部１０４に入力する。登録要求が入力されると、制御部１０６は、自通信端末を識別する端末ＩＤと、自通信端末の電話番号およびメールアドレスとを含むユーザ情報を生成し、そのユーザ情報を、送信部１０１、無線アクセス・ネットワークおよびコア・ネットワーク１０を介してメッセージングシステム３に送信する。その後、メッセージングシステム３の受信部３０２がユーザ情報を受信すると、制御部３０５は、そのユーザ情報をユーザＤＢ３０４に格納して、「事前登録動作」を終了する。
【００４４】
なお、メールアドレスが複数ある場合、制御部１０６は、その複数のメールアドレスを全て含むユーザ情報を生成することが望ましい。また、端末ＩＤ、電話番号およびメールアドレスは、格納部１０５に予め格納されていてもよいし、登録要求とともに入力されてもよい。
【００４５】
次に「通信ネットワーク情報の登録動作」について説明する。図４は、通信端末１に対する「通信ネットワーク情報の登録動作」を説明するためのシーケンス図である。
【００４６】
先ず、フェムトアクセス・ポイント１３Ａは、フェムトセル圏内に入った（または、フェムトセル圏内から出た）通信端末を確認し、その通信端末（図４では、通信端末１としている）の端末ＩＤと、「入」または「出」を示す通信ネットワーク情報とを、コア・ネットワーク１０を介してメッセージングシステム３に送信する（ステップＳ４０１）。
【００４７】
メッセージングシステム３の受信部３０２が端末ＩＤおよび通信ネットワーク情報を受信すると、制御部３０５は、その端末ＩＤおよび通信ネットワーク情報を対応付けてユーザＤＢ３０４に格納する。より具体的には、制御部３０５は、通信ネットワーク情報を、ユーザＤＢ３０４内のユーザ情報のうち、受信された端末ＩＤと同じ端末ＩＤを含むユーザ情報に対応付けて格納する（ステップＳ４０２）。
【００４８】
なお、通信端末１と公衆無線アクセス・ネットワーク１１Ａとの接続または切断に係る公衆無線アクセス・ネットワーク（ＨＬＲ、ＭＳＣおよびＲＮＣ）への情報登録は、通信端末１がフェムトセル圏内に出入りした際にフェムトアクセス・ポイント１３Ａを介して行われるものとする（Ｓ４０３）。
【００４９】
次に「メッセージの送受信動作」について説明する。以下では、通信端末１が通信端末２宛のメッセージを送信する場合を例にとって「メッセージの送受信動作」を説明する。また、「メッセージの送受信動作」を、「メッセージの送信動作」と「メッセージの受信動作」とに分けて説明する。
【００５０】
先ず「メッセージの送信動作」について説明する。
【００５１】
図５は、メッセージのサイズが所定値以上であり、かつ、通信端末１がフェムトセル・アクセス・ポイント１３Ａのフェムトセル圏内に存在する場合における「メッセージの送信動作」を説明するためのシーケンス図である。なお、制御部１０６は、操作部１０４への操作内容に応じて通信端末２宛のメッセージを作成し、その後、操作部１０４の送信ボタンが押下されると、以下の「メッセージの送信動作」を開始する。
【００５２】
「メッセージの送信動作」では、先ず、制御部１０６は、通信端末２宛のメッセージに関する送信予定メッセージ情報と、そのメッセージの送信許可を要求するメッセージ送信許可要求を生成する。制御部１０６は、その生成した送信予定メッセージ情報およびメッセージ送信許可要求を、送信部１０１を介してフェムトセル・アクセス・ポイント１３Ａに送信する（ステップＳ５０１）。なお、送信予定メッセージ情報は、通信端末１の電話番号およびメールアドレスと、メッセージのサイズとを含む。
【００５３】
フェムトセル・アクセス・ポイント１３Ａは、送信予定メッセージ情報およびメッセージ送信許可要求を受信すると、その送信予定メッセージ情報およびメッセージ送信許可要求を、コア・ネットワーク１０を介してメッセージングシステム３に送信する（ステップＳ５０２）。
【００５４】
メッセージングシステム３の受信部３０２が送信予定メッセージ情報およびメッセージ送信許可要求を受信すると、制御部３０５は、ユーザＤＢ３０４から、送信予定メッセージ情報内の電話番号およびメールアドレスを含むユーザ情報を検索し、そのユーザ情報に対応付けられた通信ネットワーク情報をユーザＤＢ３０４から取得する。そして、制御部３０５は、通信ネットワーク情報が「入」を示すか否かと、送信予定メッセージ情報に含まれるメッセージのサイズが所定値以上か否かを判断する（ステップＳ５０３）。
【００５５】
ここでは、メッセージのサイズが所定値以上であり、かつ、通信ネットワーク情報が「入」を示すものとする。この場合、制御部３０５は、メッセージの送信を実行させるために、メッセージ送信許可要求に対する応答情報として「ＯＫ」を示す応答情報を、送信部３０３およびコア・ネットワーク１０を介してフェムトセル・アクセス・ポイント１３Ａに送信する（ステップＳ５０４）。
【００５６】
フェムトセル・アクセス・ポイント１３Ａは、応答情報を受信すると、その応答情報を通信端末１に送信する（ステップＳ５０５）。
【００５７】
通信端末１の受信部１０２が応答情報を受信すると、制御部１０６は、その応答情報を確認する。ここでは、応答情報は「ＯＫ」を示すので、制御部１０６は、通信端末２宛のメッセージを送信部１０１、フェムトセル・アクセス・ポイント１３Ｂおよびコア・ネットワーク１０を介してメッセージングシステム３に送信する（ステップＳ５０６）。
【００５８】
メッセージングシステム３の受信部３０２がメッセージを受信すると、制御部３０５は、そのメッセージを格納部３０１に一時保存する。このとき、制御部３０５は、そのメッセージのタイプに応じたメール・ボックス３０１Ａ〜３０１Ｄのいずれかに保存する（ステップＳ５０７）。
【００５９】
図６は、メッセージのサイズが所定値以上であり、かつ、通信端末１がフェムトセル・アクセス・ポイント１３Ａのフェムトセル圏外に存在する場合における「メッセージの送受動作」を説明するためのシーケンス図である。
【００６０】
先ず、図５におけるステップＳ５０１〜Ｓ５０３の処理が行われる。そして、ステップＳ５０３において、制御部３０５は、メッセージのサイズが所定値以上であり、かつ、通信ネットワーク情報が「出」を示すことを確認する。この場合、制御部３０５は、メッセージ送信許可要求に対する応答情報として、メッセージの送信を実行するか否かを確認するための確認応答情報を、送信部１０１、コア・ネットワーク１０およびフェムトセル・アクセス・ポイント１３Ａを介して通信端末１に送信する。通信端末１の受信部１０２が確認応答情報を受信すると、制御部１０６は、その確認応答情報を表示部１０３に表示する（ステップＳ６０１）。
【００６１】
確認応答情報は、例えば、「メッセージのサイズが大きいため、今の接続ネットワークの場合、このメッセージを送信すると、他のメッセージの送受信に影響を与える可能性があります。継続しますか？」といった、メッセージの送受信に関するアドバイスを含んだものでもよい。
【００６２】
メッセージの送信を実行する場合、ユーザは、メッセージの送受信を実行する旨の実行要求として、「ＹＥＳ」を示す送信回答情報を操作部１０４に入力する。送信回答情報が入力されると、制御部１０６は、その送信回答情報を、送信部１０１、フェムトセル・アクセス・ポイント１３Ｂおよびコア・ネットワーク１０を介してメッセージングシステム３に送信する（ステップＳ６０２）。
【００６３】
メッセージングシステム３の受信部３０２が送信回答情報を受信すると、制御部３０５は、その送信回答情報を確認する。ここでは送信回答情報が「ＹＥＳ」を示すので、制御部３０５は、メッセージ送信許可要求に対する応答情報として、「ＯＫ」を示す応答情報を、送信部３０３およびコア・ネットワーク１０を介してフェムトセル・アクセス・ポイント１３Ａに送信する（ステップＳ６０３）。その後、ステップＳ５０６およびＳ５０７が実行される。
【００６４】
一方、メッセージの送信保留を維持する場合、ユーザＡはメッセージの送受信を保留する旨の保留要求として、「ＮＯ」を示す送信回答情報を入力する。送信回答情報が入力されると、制御部１０６は、その送信回答情報を、送信部１０１、フェムトセル・アクセス・ポイント１３Ｂおよびコア・ネットワーク１０を介してメッセージングシステム３に送信する（ステップＳ６０４）。
【００６５】
メッセージングシステム３の受信部３０２が送信回答情報を受信すると、制御部３０５は、その送信回答情報を確認する。ここでは送信回答情報が「ＮＯ」を示すので、制御部３０５は、メッセージ送信許可要求に対する応答情報として、「ＮＧ」を示す応答情報を、送信部３０３、コア・ネットワーク１０およびフェムトセル・アクセス・ポイント１３Ａを介して通信端末１に送信する。
【００６６】
通信端末１の受信部１０２が応答情報を受信すると、制御部１０６は、その応答情報を確認する。応答情報が「ＮＧ」を示すので、制御部１０６は、メッセージの送信を保留し、そのメッセージを、送信を保留している旨の保留情報を付けて格納部１０５に格納する（ステップＳ６０５）。
【００６７】
その後、メッセージングシステム３の受信部３０２が通信ネットワーク情報および端末ＩＤを受信すると、制御部３０５は、その通信ネットワーク情報が「入」を示すか否かを確認する。通信ネットワーク情報が「入」を示す場合、制御部３０５は、その受信された端末ＩＤにて識別される通信端末１に、保留中のメッセージの送受信を実行する旨のメッセージ再送信要求を送信する（ステップＳ６０６）。
【００６８】
通信端末１の受信部１０２がメッセージ再送信要求を受信すると、制御部３０５は、保留情報が付けられたメッセージが格納部１０５内にあれば、そのメッセージを格納部１０５から取得する。そして、制御部３０５は、その取得したメッセージを、送信部１０１、フェムトセル・アクセス・ポイント１３Ｂおよびコア・ネットワーク１０を介してメッセージングシステム３の受信部３０２に送信する（ステップＳ６０７）。その後、ステップＳ５０７が実行される。
【００６９】
図７は、メッセージのサイズが所定値未満の場合における「メッセージの送受動作」を説明するためのシーケンス図である。
【００７０】
先ず、図５におけるステップＳ５０１〜Ｓ５０３の処理が行われる。そして、ステップＳ５０３において、制御部３０５は、メッセージのサイズが所定値未満であることを確認する。この場合、メッセージの送信を実行させるために、メッセージ送信許可要求に対する応答情報として「ＯＫ」を示す応答情報を、送信部３０３およびコア・ネットワーク１０を介してフェムトセル・アクセス・ポイント１３Ａに送信する（ステップＳ７０１）。その後、ステップＳ５０５〜Ｓ５０７と同じ処理が実行される。
【００７１】
なお、図７では、通信端末１はフェムトセル・アクセス・ポイント１３Ａのフェムトセル圏内に存在する場合について示されているが、メッセージのサイズが所定値未満の場合には、通信端末１がフェムトセル・アクセス・ポイント１３Ａのフェムトセル圏内に存在しない場合でもメッセージの送信が実行される。このとき、通信端末１とメッセージングシステム３との通信はフェムトセル・アクセス・ポイント１３Ａを経由せずに行われる。
【００７２】
次に「メッセージの受信動作」について説明する。
【００７３】
図８は、メッセージのサイズが所定値以上であり、かつ、通信端末２がフェムトセル・アクセス・ポイント１３Ｂのフェムトセル圏内に存在する場合における「メッセージの受信動作」を説明するためのシーケンス図である。
【００７４】
ステップＳ５０７においてメッセージが一時保存されると、制御部１０６は、そのメッセージの宛先である通信端末２の端末ＩＤをユーザＤＢ３０４から検索し、その端末ＩＤを含むユーザ情報に対応付けられた通信ネットワーク情報が「入」を示すか否かと、その一時保存されたメッセージのサイズが所定値以上か否かを判断する（ステップＳ８０１）。
【００７５】
ここでは、メッセージのサイズが所定値以上であり、通信ネットワーク情報が「入」を示すものとする。この場合、制御部３０５は、通信端末２によるメッセージの受信を実行させるために、その一時保存されたメッセージと新着メッセージを存在する旨の新着メッセージ通知とを、送信部３０３、コア・ネットワーク１０およびフェムトセル・アクセス・ポイント１３Ｂを介して、そのメッセージの宛先である通信端末２に送信する（ステップＳ８０２）。
【００７６】
通信端末２の受信部１０２がメッセージおよび新着メッセージ通知を受信すると、制御部１０６は、その新着メッセージ通知およびメッセージを表示部１０３に表示する。そして、制御部１０６は、メッセージの受信が完了した旨のメッセージ受信完了通知を、送信部１０１、フェムトセル・アクセス・ポイント１３Ｂおよびコア・ネットワーク１０を介してメッセージングシステム３に送信する（ステップＳ８０３）。
【００７７】
メッセージングシステム３の受信部３０２がメッセージ受信完了通知を受信すると、制御部３０５は、送信したメッセージを格納部３０１から削除する（ステップＳ８０４）。
【００７８】
図９は、メッセージのサイズが所定値以上であり、かつ、通信端末２がフェムトセル・アクセス・ポイント１３Ｂのフェムトセル圏外に存在する場合における「メッセージの受信動作」を説明するためのシーケンス図である。
【００７９】
図８におけるステップＳ８０１の処理が行われ、制御部３０５は、メッセージのサイズが所定値以上であり、通信ネットワーク情報が「出」を示すことを確認する。この場合、制御部３０５は、メッセージの要約と新着メッセージ通知とを、送信部３０３、コア・ネットワーク１０およびフェムトセル・アクセス・ポイント１３Ｂを介して、そのメッセージの宛先である通信端末２に送信する（ステップＳ９０１）。メッセージの要約は、例えば、図１０に示すように、送信者名、メッセージのサイズ、添付ファイルの有無、添付ファイルのタイプ、メール本文の要約（例えば、最初の文字から所定の文字数までの内容）などを含む。
【００８０】
通信端末２の受信部１０２が新着メッセージ通知およびメッセージの要約を受信すると、制御部１０６は、その新着メッセージ通知およびメッセージの要約を表示部１０３に表示して、ユーザＢにメッセージの受信（ダウンロード）を実行するか否かを判断させる（ステップＳ９０２）。
【００８１】
メッセージの受信を実行する場合、ユーザＢはメッセージの送受信を実行する旨の情報として、「ＹＥＳ」を示す受信回答情報を操作部１０４に入力する。受信回答情報が入力されると、制御部１０６は、その受信回答情報を、送信部１０１、フェムトセル・アクセス・ポイント１３Ｂおよびコア・ネットワーク１０を介してメッセージングシステム３に送信する（ステップＳ９０３）。
【００８２】
メッセージングシステム３の受信部３０２が受信回答情報を受信すると、制御部３０５は、その受信回答情報を確認する。ここでは、受信回答情報が「ＹＥＳ」を示すので、制御部３０５は、格納部３０１に一時保存したメッセージを通信端末２に送信する（ステップＳ９０４）。
【００８３】
通信端末２の受信部１０２がメッセージを受信すると、制御部１０６は、メッセージを表示部１０３に表示する。そして、制御部１０６は、メッセージの受信が完了した旨のメッセージ受信完了通知を、送信部１０１、フェムトセル・アクセス・ポイント１３Ｂおよびコア・ネットワーク１０を介してメッセージングシステム３に送信する（ステップＳ９０５）。
【００８４】
メッセージングシステム３の受信部３０２がメッセージ受信完了通知を受信すると、制御部３０５は、送信したメッセージを格納部３０１から削除する（ステップＳ９０６）。
【００８５】
一方、メッセージの受信の保留を継続する場合、ユーザＢはメッセージの送受信を保留する旨の保留要求として、「ＮＯ」を示す受信回答情報を操作部１０４に入力する。受信回答情報が入力されると、制御部１０６は、その受信回答情報を、送信部１０１、フェムトセル・アクセス・ポイント１３Ｂおよびコア・ネットワーク１０を介してメッセージングシステム３に送信する（ステップＳ９０７）。
【００８６】
その後、メッセージングシステム３の受信部３０２が通信ネットワーク情報および端末ＩＤを受信すると、制御部３０５は、その通信ネットワーク情報が「入」を示すか否かを確認する。通信ネットワーク情報が「入」を示す場合、制御部３０５は、その受信された端末ＩＤにて識別される通信端末２宛のメッセージを格納部３０１から取得する。そして、制御部３０５は、その取得したメッセージを、送信部３０３、コア・ネットワーク１０およびフェムトセル・アクセス・ポイント１３Ｂを介して通信端末２に送信する（ステップＳ９０８）。その後、ステップＳ９０５および９０６が実行される。
【００８７】
図１１は、メッセージのサイズが所定値未満の場合における「メッセージの受信動作」を説明するためのシーケンス図である。
【００８８】
ステップＳ５０７においてメッセージが一時保存されると、制御部１０６は、そのメッセージの宛先である通信端末２の端末ＩＤをユーザＤＢ３０４から検索し、その端末ＩＤを含むユーザ情報に対応付けられた通信ネットワーク情報が「入」を示すか否かと、その一時保存されたメッセージのサイズが所定値以上か否かを判断する（ステップＳ１１０１）。
【００８９】
ここでは、メッセージのサイズが所定値以上であり、通信ネットワーク情報が「入」を示すものとする。この場合、制御部３０５は、通信端末２によるメッセージの受信を実行させるために、その一時保存されたメッセージと新着メッセージを存在する旨の新着メッセージ通知とを、送信部３０３、コア・ネットワーク１０およびフェムトセル・アクセス・ポイント１３Ｂを介して、そのメッセージの宛先である通信端末２に送信する（ステップＳ１１０２）。その後、ステップＳ８０３および８０４が実行される。
【００９０】
なお、「メッセージの送受信動作」において、制御部３０５は、通信端末２宛のメッセージが複数ある場合、サイズの小さいメッセージから順に各メッセージの送受信を実行させることが望ましい。
【００９１】
また、制御部３０５は、メッセージの送信中に受信部３０２が新しいメッセージを受信した場合、送信中のメッセージのサイズと新しいメッセージのサイズとを比較する。そして、送信中のメッセージのサイズが新しいメッセージのサイズより大きい場合、制御部３０５は、メッセージの送信を中断し、サイズの小さい新しいメッセージの送信を優先的に行ってもよい。
【００９２】
また、制御部３０５は、現在時刻を測定し、その時刻が夜間などの予め定められた時間帯になると、保留中のメッセージを通信端末２に送信してもよい。これは、夜間などでは、公衆無線アクセス・ネットワークの負荷は元々低くなっているため、サイズの大きなメッセージが送信されても、公衆無線アクセス・ネットワークに対する影響が少ないと考えられるためである。
【００９３】
以上説明したように本実施形態によれば、メッセージングシステム３の受信部３０２は、通信端末１および２が無線通信を行う無線アクセス・ネットワークを示す通信ネットワーク情報を受信する。制御部３０５は、メッセージのサイズが所定値以上か否かを判断し、その判断結果と通信ネットワーク情報とに基づいて、メッセージの送受信を実行または保留させる。
【００９４】
これにより、メッセージのサイズが所定値以上か否かの判断結果と通信ネットワーク情報とに基づいてメッセージの送受信が実行または保留される。このため、特定のアクセス・ネットワークへの負荷を軽減させることが可能になる。
【００９５】
また、本実施形態では、メッセージのサイズが所定値未満の場合と、メッセージのサイズが所定値以上であり、かつ、通信ネットワーク情報が専用無線アクセス・ネットワークを示す場合、制御部３０５は、メッセージの送受信を実行させる。一方、サイズが所定値以上であり、かつ、通信ネットワーク情報が公衆無線アクセス・ネットワークを示す場合、制御部３０５は、メッセージの送受信を保留させる。
【００９６】
これにより、サイズの大きなメッセージが公衆無線アクセス・ネットワークを伝送されることを軽減することが可能になるため、公衆無線アクセス・ネットワークへの負荷を軽減させることが可能になる。
【００９７】
また、本実施形態では、制御部３０５は、メッセージの送受信を保留した後で、受信部３０２が専用無線アクセス・ネットワークを示す通信ネットワーク情報を受信すると、メッセージの送受信を実行させる。これにより、通信端末１および２が専用無線アクセス・ネットワークと通信を行うだけで、自動的に保留中のメッセージを送受信することが可能になる。
【００９８】
また、本実施形態では、制御部３０５は、メッセージが複数あると、サイズの小さいメッセージから順に各メッセージの送受信を実行させる。これにより、サイズの大きなメッセージの送受信による他のメッセージの送受信への影響をより適切に軽減させることが可能になる。
【００９９】
また、本実施形態では、制御部３０５は、メッセージの送信を保留させると判断した場合、そのメッセージの宛先である通信端末にメッセージの要約を送信する。これにより、ユーザは保留中のメッセージの要約を知ることができる。
【０１００】
以上説明した各実施形態において、図示した構成は単なる一例であって、本発明はその構成に限定されるものではない。
【符号の説明】
【０１０１】
１、２    通信端末
３        メッセージングシステム
１０      コア・ネットワーク
１０１、３０３  送信部
１０２、３０２  受信部
１０３    表示部
１０４    操作部
１０５、３０１    格納部
１０６、３０５    制御部
３０４    ユーザＤＢ
【図１】
2012010078.tif 000003
【図２】
2012010078.tif 000004
【図３】
2012010078.tif 000005
【図４】
2012010078.tif 000006
【図５】
2012010078.tif 000007
【図６】
2012010078.tif 000008
【図７】
2012010078.tif 000009
【図８】
2012010078.tif 000010
【図９】
2012010078.tif 000011
【図１０】
2012010078.tif 000012
【図１１】
2012010078.tif 000013